(57)【要約】【課題】釣銭用硬貨収納庫及び釣銭用収納庫の特定金種の硬貨や紙幣が不足するという事態の発生を抑制する。【解決手段】入金処理時に、売上優先で収納するか釣銭優先で収納するかをレジ担当者に選択させ、釣銭優先が選択された場合、主制御部８は記憶部７に記憶された入出金処理履歴から直近の出金処理時における硬貨及び紙幣の金種及び金種毎の枚数を検索して、硬貨処理機１及び紙幣処理機２に通知し、硬貨処理機１及び紙幣処理機２は通知された金種及び枚数の硬貨及び紙幣を釣銭用硬貨収納庫１４及び釣銭用収納庫２４に収納する。【選択図】図１
2008065565.tif 000002
【特許請求の範囲】
【請求項１】
小売店の店舗に設置されたレジスタで釣銭として使用する現金を釣銭用現金収納庫から出金し、レジスタから回収した現金を受け入れて前記釣銭用現金収納庫と現金回収庫に収納する機能を備えた現金処理装置において、
入金及び出金処理した金種毎の枚数を入出金処理履歴として記憶する記憶部を設け、
入金処理時に、売上優先で収納するか釣銭優先で収納するかを選択させ、
売上優先が選択された場合は売上分の現金を高額金種から現金回収庫に収納して、残りは釣銭用現金収納庫に収納し、
釣銭優先が選択された場合は前記入出金処理履歴から直近の出金処理時の金種及び枚数を検索して、該金種及び枚数の現金を釣銭用現金収納庫に収納し、残りは現金回収庫に収納することを特徴とする現金処理装置。
【請求項２】
請求項１記載の現金処理装置において、
前記釣銭優先で入金処理する際、直近の出金処理時の枚数に足りない金種があった場合は、不足分を他の金種に振替えて釣銭用現金収納庫に収納することを特徴とする現金処理装置。
【発明の詳細な説明】
【技術分野】
【０００１】
本発明は、小売店等に設置されるレジスタに補充される釣銭用の現金の出金処理や、レジスタから回収した現金の入金処理、及び締上げ処理を行う現金処理装置に関するものである。
【背景技術】
【０００２】
従来のこの種の現金処理装置として、小売店の店舗に設置されたレジスタに収納するための釣銭用の現金を釣銭用現金収納庫から出金する出金機能、レジスタから回収した売上金等の現金を受入れて釣銭用現金収納庫や現金回収庫に収納する入金機能、入金及び出金の金額や金種毎の入出金枚数等を記憶して管理し、営業終了時等にこれらを集計して、その集計結果を表示部に表示すると共に、伝票に記録して放出する締上げ処理機能を有する装置が提案されており、この装置はレジスタから回収した現金のうち釣銭分の現金は釣銭用現金収納庫に収納すると共に、売上分の現金は現金回収庫に収納することで、回収した現金を出金に利用できるようにしたリサイクル機能を持たせて現金の効率的な運用を可能にしている（例えば、特許文献１参照）。
【特許文献１】特開２００５−０３８０６２号公報（段落「００２７」〜段落「００６１」、図１、図４〜図６）
【発明の開示】
【発明が解決しようとする課題】
【０００３】
しかしながら、上述した従来の技術においては、以下の問題がある。
すなわち、従来の現金処理装置では、レジスタから回収した現金を入金する場合、売上金に相当する分を現金回収庫へ、釣銭として戻す分を釣銭用現金収納庫に振分けて収容するようになっており、その際、売上金の分を高額金種の現金から優先的に収納するようにしている。
【０００４】
例えば紙幣の場合、まず１万円札を優先的に現金回収庫（紙幣回収庫）に収納し、１万円札がなくなると、次に５千円札を現金回収庫に収納し、そして５千円札がなくなると、次に千円札を現金回収庫に収納して、売上金を現金回収庫に収納した後、釣銭分を釣銭用現金収納庫に金種別に収納するものとなっている。
そのため、現金回収庫内は必然的に高額金種の現金が多くなり、釣銭用現金収納庫には低額金種の現金が多く収納されることになる。
【０００５】
この場合、１万円札は釣銭として使われることがないので、釣銭用現金収納庫に振り分ける必要はないが、５千円札については釣銭として使われるため、ある程度は釣銭用現金収納庫に確保しておく必要がある。
しかしながら、現状では高額金種優先で現金回収庫に収納されるため、装置全体では釣銭として使用する金種の現金を必要枚数所有しているにもかかわらず、釣銭用現金収納庫では特定金種の現金が不足して、補充の必要が生じるという問題がある。
【０００６】
本発明は、このような問題を解決することを課題とする。
【課題を解決するための手段】
【０００７】
そのため、本発明は、小売店の店舗に設置されたレジスタで釣銭として使用する現金を釣銭用現金収納庫から出金し、レジスタから回収した現金を受け入れて前記釣銭用現金収納庫と現金回収庫に収納する機能を備えた現金処理装置において、入金及び出金処理した金種毎の枚数を入出金処理履歴として記憶する記憶部を設け、入金処理時に、売上優先で収納するか釣銭優先で収納するかを選択させ、売上優先が選択された場合は売上分の現金を高額金種から現金回収庫に収納して、残りは釣銭用現金収納庫に収納し、釣銭優先が選択された場合は前記入出金処理履歴から直近の出金処理時の金種及び枚数を検索して、該金種及び枚数の現金を釣銭用現金収納庫に収納し、残りは現金回収庫に収納することを特徴とする。
【発明の効果】
【０００８】
このようにした本発明は、入金処理時に、売上優先で収納するか釣銭優先で収納するかを選択させ、釣銭優先が選択された場合は入出金処理履歴から直近の出金処理時の金種及び枚数を検索して、該金種及び枚数の現金を釣銭収納庫に収納するようにしているため、釣銭用現金収納庫の特定金種の現金が不足するという事態の発生を抑制することができるという効果が得られる。
【発明を実施するための最良の形態】
【０００９】
以下、図面を参照して本発明による現金処理装置の実施例を説明する。
【実施例】
【００１０】
図１は実施例の構成を示すブロック図である。
本実施例の現金処理装置は、レジスタを使用する小売店等に設置されるもので、図において１は硬貨（現金）の入出金処理を行う硬貨処理機、２は紙幣（現金）の入出金処理を行う紙幣処理機であり、この両処理機については後で詳しく説明する。
３はＬＣＤ等による表示部で、各種の処理操作の案内、現金処理のための入力画面や入力された情報、及び金種別の入出金金額や入出金の合計金額等を表示する。
【００１１】
４はレジスタの現金を入出金するレジ担当者や売上の締めを行う店長（管理者）等が操作するキーボードあるいは表示部３上に配置されたタッチパネル等の操作部で、入金処理や出金処理、締上げ処理、回収処理等を行うことを指示（入力）するためのキーや金額等を入力するためのテンキー等を備えている。
５はカードリーダ（カード読取部）で、当該現金処理装置の利用者であるレジ担当者や店長等が使用するＩＤカードの情報を読取る機能を有している。
【００１２】
レジ担当者用のＩＤカードには、レジ番号などのレジスタを特定する情報も記録されている。このレジ担当者用のＩＤカードは、レジスタ毎またはレジ担当者毎に用意され、レジ担当者毎に配布する場合、レジ担当者が複数のレジスタを操作するのであれば、使用するレジスタ毎にＩＤカードが与えられる。
６は伝票記録部（プリンタ）で、硬貨処理機１や紙幣処理機２で行われた入金処理や出金処理の金額、金種別枚数等を伝票に記録（印字）して出力するものである。
【００１３】
７は記憶部で、この記憶部７には後述する主制御部が実行する制御プログラムが格納されている他、後述する入金・出金処理履歴が格納され、入金処理及び出金処理毎に処理結果が追加、更新されるものとなっている。
８は記憶部７に格納された制御プログラムに基づいて現金処理装置全体の制御を行う主制御部で、硬貨処理機１及び紙幣処理機２で入出金処理が行われる毎にこの主制御部８により記憶部７の入金・出金処理履歴が更新されるものとなっており、更に主制御部８は必要に応じて各種の演算を行う演算部としても機能する。
【００１４】
次に硬貨処理機１及び紙幣処理機２について説明する。
硬貨処理機１は、レジスタから回収した硬貨を一括して受け入れる硬貨入金口１１と、この硬貨入金口１１に受け入れた硬貨を１枚ずつ分離する図示しない分離部と、硬貨の金種等を鑑別すると共に鑑別した硬貨を金種毎に計数する硬貨鑑別部１２と、この硬貨鑑別部１２で鑑別計数された硬貨を一時保留する一時保留部１３と、レジスタ用の釣銭として使用する硬貨を金種別に収納する釣銭用硬貨収納庫（釣銭用現金収納庫）１４と、入金硬貨のうちの売上金を金種別に収納する硬貨回収庫（現金回収庫）１５と、釣銭用の硬貨を出金するための硬貨出金庫１６と、硬貨リジェクト口１７と、図示しない記憶部に格納された制御プログラムに基づいて硬貨処理機１全体の動作制御を行う制御部１８を有している。
【００１５】
ここで一時保留部１３、釣銭用硬貨収納庫１４、硬貨回収庫１５、及び硬貨出金庫１６は金種毎に分けて硬貨を集積、収納できるように内部が区切られている。
また、硬貨入金口１１と硬貨鑑別部１２との間には分離部により分離された硬貨を搬送する搬送ベルト等による搬送路が設けられ、釣銭用硬貨収納庫１４と硬貨回収庫１５及び硬貨出金庫１６との間には、釣銭用硬貨収納庫１４から排出される硬貨を硬貨回収庫１５と硬貨出金庫１６のいずれかに導く振分け手段と、通過する硬貨を金種毎に計数する計数手段が設けられている。
【００１６】
また、前記各釣銭用硬貨収納庫１４に対しては、収納する硬貨の金種毎に保管基準額が設定されており、その保管基準額を保つために入金処理された硬貨を収納するようになっている。
この釣銭用硬貨収納庫１４にも硬貨を搬送路に繰出す繰出し手段が設けられている。
硬貨回収庫１５は複数用意され、必要に応じて交換されるものとなっている。
【００１７】
一方、紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離する図示しない分離部と、紙幣の金種等を鑑別すると共に鑑別した紙幣を金種毎に計数する紙幣鑑別部２２と、この紙幣鑑別部２２で鑑別計数された紙幣を集積して一時保留する一時保留部２３と、レジスタ用の釣銭準備金として使用する金種（例えば、五千円、千円）の紙幣を金種別に収納する複数の釣銭用紙幣収納庫（釣銭用現金収納庫）２４と、入金紙幣のうちの売上金を金種別に収納する複数の紙幣回収庫（現金回収庫）２５と、紙幣リジェクト庫２６と、これらの間で紙幣を搬送ベルト等で挟持して搬送する搬送路と、図示しない記憶部に格納された制御プログラムに基づいて紙幣処理機２全体の動作制御を行う制御部２７を備えている。
【００１８】
尚、紙幣一時保留部２３には紙幣を繰出す繰出し手段が設けられている。
前記各釣銭用紙幣収納庫２４に対しては、収納する紙幣の金種毎に保管基準額が設定されており、その保管基準額を保つために入金処理された紙幣を収納するようになっている。
この釣銭用紙幣収納庫２４にも紙幣の集積手段が紙幣を搬送路に繰出す繰出し手段と共に設けられている。
【００１９】
紙幣回収庫２５は複数用意され、必要に応じて交換されるものとなっている。
また、硬貨処理機１の制御部１８及び紙幣処理機２の制御部２７は主制御部８の指示により硬貨処理機１及び紙幣処理機２を制御するものとなっている。
図２は前記記憶部７の記憶される入金・出金処理履歴の内容例を示す図である。
この入金・出金処理履歴は、図示したように通番、レジＮｏ．、カードＮｏ．、利用者ＩＤ、処理日時、区分、金額、金種、締上げ日時、突合せにより構成されており、通番のエリアには処理毎に付与される通し番号が書込まれ、カードＮｏ．のエリアにはレジ担当者のＩＤカードから読取ったカードの番号が書込まれる。このカードＮｏ．はカードを特定するための情報である。
【００２０】
レジＮｏ．のエリアにはレジ担当者のＩＤカードから読取ったレジスタの番号が書込まれる。このレジＮｏ．はレジスタ毎に集計する際に利用されるもので、同一レジスタに対する出金処理と入金処理とを関連付ける関連付け情報として用いられる。
また、利用者ＩＤのエリアにはレジ担当者のＩＤカードから読取ったＩＤ番号等が書込まれ、処理日時のエリアには入金または出金処理を行ったときの日付及び時刻が書込まれる。
【００２１】
区分のエリアには処理が入金であるか出金があるかを示す情報が書込まれ、金額のエリアには入金または出金処理の処理金額が書込まれる。
また、万、五千・・・一等の金種エリアには処理した金種毎の枚数がそれぞれ書込まれる。
上述した構成の作用について説明する。
【００２２】
尚、以下に説明において、主制御部８や制御部１８、２７による制御の説明については、必要な説明を除いて省略する。
まず、レジ担当者がレジスタに釣銭を補充する現金を出金させる場合の出金処理について説明する。
図３はその出金処理の手順を示すフローチャートで、図中のＳはステップを示し、以下このステップに従って説明する。
【００２３】
レジ担当者が自分のＩＤカードを現金処理装置に設けられているカード挿入排出口に挿入すると、カードリーダ５がＩＤカードから利用者の区分、レジＮｏ．を読取る（Ｓ１）。
また、レジ担当者はカード挿入後、操作部４を操作して自分の個人ＩＤ（利用者ＩＤ）、パスワードを入力する（Ｓ２）。
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ３）、レジ担当者に選択させる。
【００２４】
ここでレジ担当者が操作部４を操作して「出金」を選択すると、主制御部８は「出金」の選択を受付け（Ｓ４）、表示部３に出金金額入力画面を表示する。
この画面を見てレジ担当者が操作部４を操作して、出金金額（硬貨及び紙幣の金種毎の枚数）を入力すると、主制御部８はその入力金額を受付けて（Ｓ５）、その出金金額と硬貨処理機１の釣銭用硬貨収納庫１４及び紙幣処理機２の釣銭用紙幣収納庫２４内の現金を比較し、出金の可否を判断する（Ｓ６）。
【００２５】
釣銭用硬貨収納庫１４及び釣銭用紙幣収納庫２４内の現金の不足により出金不可と判断した場合、その旨のメッセージ画面を表示部３に表示して終了する。
出金可能な場合は、硬貨処理機１の釣銭用硬貨収納庫１４及び紙幣処理機２の釣銭用紙幣収納庫２４から該当金種の硬貨及び紙幣が繰出され、硬貨鑑別部１２及び紙幣鑑別部２２で鑑別、計数された後、硬貨出金庫１６や紙幣入出金口２１に放出あるいは集積されてレジ担当に出金される（Ｓ７）。
【００２６】
出金が終了すると主制御部８は今回の出金処理結果として通番、レジＮｏ．、利用者ＩＤ、処理日時、区分、出金金額、金種別枚数等を記憶部７の入金・出金処理履歴に書込んで更新し（Ｓ８）、更に伝票記録部６で処理結果を伝票に記録してレジ担当者に発行する（Ｓ９）。
尚、入金・出金処理履歴等の更新は伝票発行後に行うようにしてもよい。
【００２７】
次に、レジ担当者がレジスタから回収した現金を入金させる場合の入金処理について説明する。
図４はその入金処理の手順を示すフローチャートで、図中のＳはステップを示し、以下このステップに従って説明する。
レジ担当者が自分のＩＤカードを現金処理装置に設けられているカード挿入排出口に挿入すると、カードリーダ５がＩＤカードから利用者の区分、レジＮｏ．、カードＮｏ．を読取る（Ｓ１１）。
【００２８】
尚、出金の際に使用したＩＤカードを紛失したり、ＩＤカードを破損する等の不具合が生じた場合、同一レジ用の他のカードを使用する。この場合カードＮｏ．は異なるが、レジＮｏ．は同一であるので、レジスタは特定することができる。
続いて、レジ担当者はカード挿入後、操作部４を操作して自分の個人ＩＤ（利用者ＩＤ）、パスワードを入力する（Ｓ１２）。
【００２９】
主制御部８はレジ担当者が入力した個人ＩＤ、パスワードを予め記憶部７等に登録されている個人ＩＤ、パスワードと照合し、正当性が確認された場合、ＩＤカードから読取った利用者区分に基づき、レジ担当者が操作可能な「出金」、「入金」を選択するメニュー画面を表示部３に表示し（Ｓ１３）、レジ担当者に選択させる。
ここでレジ担当者が操作部４を操作して「入金」を選択すると、主制御部８は「入金」の選択を受付け（Ｓ１４）、続いて主制御部８は売上優先で収納させるか釣銭優先で収納させるかを選択させる優先収納方法選択画面を表示して、レジ担当者に選択させる（Ｓ１５）。
【００３０】
優先収納方法が選択されると硬貨処理機１及び紙幣処理機２は主制御部８の指示により、硬貨入金口１１及び紙幣入出金口２１に設けられているシャッタをそれぞれ開放して、レジ担当者がレジスタから回収してきた現金である硬貨及び紙幣を受入れる。そして、受入れ他硬貨及び紙幣を硬貨鑑別部１２及び紙幣鑑別部２２に搬送してそれぞれ鑑別、計数した後、硬貨一時保留部１３及び紙幣一時保留部２３に一時保留する（Ｓ１６）。
【００３１】
受入れたすべての硬貨及び紙幣を計数して一時保留すると、主制御部８は金種毎の枚数及び金額、全金種の合計額を計数結果として表示部３に表示し、レジ担当者に金額を確認させて収納の可否（ＯＫ／ＮＧ）を入力させる（Ｓ１７）。
ＮＧの場合、一時保留した硬貨は硬貨リジェクト口１７から、紙幣は紙幣入出金口２１からレジ担当者に返却して処理を終了する（Ｓ１８）。
【００３２】
ＯＫの場合、硬貨一時保留部１３及び紙幣一時保留部２３に一時保留した硬貨及び紙幣をＳ１５でレジ担当者が選択した優先収納方法に従って硬貨回収庫１５及び紙幣回収庫２５と、釣銭用硬貨収納庫１４及び釣銭用紙幣収納庫２４にそれぞれ振分けて収納する（Ｓ１９）。
すなわち、レジ担当者が選択した優先収納方法が売上優先の場合は、高額金種から硬貨回収庫１５及び紙幣回収庫２５に収納して、残りは釣銭用硬貨収納庫１４及び釣銭用紙幣収納庫２４に収納する。
【００３３】
また、レジ担当者が選択した優先収納方法が釣銭優先の場合は、主制御部８がレジ担当者のカードから読取ったレジＮｏ．を基に記憶部７の入金・出金処理履歴から、該当レジスタにおける直近（前回）の出金処理の硬貨及び紙幣の金種と金種毎の枚数を検索して、硬貨処理機１及び紙幣処理機２のそれぞれの制御部１８、２７に通知する。これにより硬貨処理機１及び紙幣処理機２は硬貨一時保留部１３及び紙幣一時保留部２３に一時保留した硬貨及び紙幣のうち、直近の出金処理時と同様の金種及び枚数の硬貨及び紙幣を釣銭用硬貨収納庫１４、釣銭用紙幣収納庫２４に収納して、残りは硬貨回収庫１５及び紙幣回収庫２５に収納する。
【００３４】
但し、一時保留した硬貨及び紙幣のうち、直近の出金処理時の枚数に足りない金種があった場合は、入金された分だけ収納して不足分を他の金種に振替えて該当金種の釣銭用硬貨収納庫１４及び釣銭用紙幣収納庫２４に収納する。
硬貨及び紙幣の収納が終了すると、主制御部８は今回の処理結果として通番、レジＮｏ．、カードＮｏ．、利用者ＩＤ、区分、入金金額、金種別枚数等を記憶部７の入金・出金処理履歴に書込んで更新し（Ｓ２０）、更に伝票記録部６で入金処理結果を伝票に記録してレジ担当者に発行する（Ｓ２１）。
【００３５】
尚、入金・出金処理履歴等の更新は伝票発行後に行うようにしてもよい。
以上説明した実施例によれば、入金処理時に、売上優先で収納するか釣銭優先で収納するかをレジ担当者に選択させ、釣銭優先が選択された場合は入出金処理履歴から直近の出金処理時における硬貨及び紙幣の金種及び金種毎の枚数を検索して、該金種及び枚数の硬貨及び紙幣を釣銭用硬貨収納庫１４及び釣銭用紙幣収納庫２４に収納するようにしているため、釣銭用硬貨収納庫１４及び釣銭用紙幣収納庫２４の特定金種の硬貨や紙幣が不足するという事態の発生を抑制することができるという効果が得られる。
【００３６】
尚、上述した実施例では、レジＮｏ．はＩＤカードには記録するものとしたが、レジＮｏ．はＩＤカードには記録せず、個人ＩＤと関連付けて記憶するようにしてもよく、画面入力させることも可能である。
【図面の簡単な説明】
【００３７】
【図１】実施例の構成を示すブロック図
【図２】入金・出金処理履歴の例を示す図
【図３】出金処理の手順を示すフローチャート
【図４】入金処理の手順を示すフローチャート
【符号の説明】
【００３８】
１    硬貨処理機
２    紙幣処理機
３    表示部
４    操作部
５    カードリーダ
６    伝票記録部
７    記憶部
８    主制御部
１１  硬貨入金口
１２  硬貨鑑別部
１３  硬貨一時保留部
１４  釣銭用硬貨収納庫
１５  硬貨回収庫
１６  硬貨出金庫
１７  硬貨リジェクト口
１８  制御部
２１  紙幣入出金口
２２  紙幣鑑別部
２３  紙幣一時保留部
２４  釣銭用紙幣収納庫
２５  紙幣回収庫
２６  紙幣リジェクト庫
２７  制御部
【図１】
2008065565.tif 000003
【図２】
2008065565.tif 000004
【図３】
2008065565.tif 000005
【図４】
2008065565.tif 000006